(57)【要約】【課題】血液浄化器に接続されるカプラの内部を殺菌する技術を提供する。【解決手段】血液浄化装置１０は、血液浄化器２０への透析液の供給を制御する制御装置５０と、制御装置５０から血液浄化器２０に向けて透析液が流れる透析液供給チューブ６６と、血液浄化器２０から制御装置５０に向けて透析液が流れる透析液排出チューブ６８と、透析液供給チューブ６６と血液浄化器２０の透析液流入管２６との間を接続する供給側カプラ３０ａと、透析液排出チューブ６８と血液浄化器２０の透析液流出管２８との間を接続する排出側カプラ３０ｂと、を備える。供給側カプラ３０ａおよび排出側カプラ３０ｂの少なくとも一方は、カプラの内部に紫外光を照射するよう構成される光源部を有する。【選択図】図１
2018068442.tif 000002
【特許請求の範囲】
【請求項１】
血液浄化器への透析液の供給を制御する制御装置と、
前記制御装置から前記血液浄化器に向けて透析液が流れる透析液供給チューブと、
前記血液浄化器から前記制御装置に向けて透析液が流れる透析液排出チューブと、
前記透析液供給チューブと前記血液浄化器の透析液流入管との間を接続する供給側カプラと、
前記透析液排出チューブと前記血液浄化器の透析液流出管との間を接続する排出側カプラと、を備え、
前記供給側カプラおよび前記排出側カプラの少なくとも一方は、カプラの内部に紫外光を照射するよう構成される光源部を有することを特徴とする血液浄化装置。
【請求項２】
前記供給側カプラは、前記透析液流入管と着脱可能に接続する管接続部を有し、
前記排出側カプラは、前記透析液流出管と着脱可能に接続する管接続部を有し、
前記光源部は、前記透析液流入管または前記透析液流出管から外されて露出する前記管接続部に紫外光を照射するよう構成されることを特徴とする請求項１に記載の血液浄化装置。
【請求項３】
前記制御装置は、前記透析液流入管から外された前記供給側カプラと、前記透析液流出管から外された前記排出側カプラとが互いに接続された状態において、前記透析液供給チューブ、前記供給側カプラ、前記排出側カプラおよび前記透析液排出チューブを通る経路内に洗浄液を循環させる洗浄処理を実行するよう構成されており、
前記光源部は、前記洗浄処理の実行中に紫外光を照射することを特徴とする請求項１または２に記載の血液浄化装置。
【請求項４】
前記制御装置は、前記透析液流入管から外された前記供給側カプラと、前記透析液流出管から外された前記排出側カプラとを一時的に保持するよう構成されるカプラホルダを有し、
前記光源部は、前記カプラホルダに前記供給側カプラおよび前記排出側カプラが保持された状態において、前記制御装置から電力を受けるよう構成される受電部を含むことを特徴とする請求項１から３のいずれか一項に記載の血液浄化装置。
【請求項５】
前記受電部は、非接触方式で前記制御装置から電力を受けるよう構成されることを特徴とする請求項４に記載の血液浄化装置。
【請求項６】
前記光源部は、前記カプラホルダから離れた状態において非点灯となるよう構成されることを特徴とする請求項４または５に記載の血液浄化装置。
【請求項７】
前記光源部は、前記血液浄化器に透析液が供給される透析処理の実行中にカプラの内部を流れる透析液に紫外光を照射することを特徴とする請求項１から５のいずれか一項に記載の血液浄化装置。
【請求項８】
前記光源部は、前記供給側カプラまたは前記排出側カプラの本体部に対して着脱可能に構成されることを特徴とする請求項１から７のいずれか一項に記載の血液浄化装置。
【請求項９】
前記供給側カプラおよび前記排出側カプラの少なくとも一方は、カプラの本体部に前記光源部からの紫外光を透過する窓部材が設けられることを特徴とする請求項１から８のいずれか一項に記載の血液浄化装置。
【請求項１０】
前記供給側カプラおよび前記排出側カプラの少なくとも一方は、本体部と、前記本体部と軸方向に隣接する管接続部と、前記本体部から前記軸方向と直交する方向に延びるチューブ接続部とを有し、Ｌ字形状となるよう構成されており、
前記光源部は、前記本体部から前記管接続部に向けて前記軸方向に紫外光を照射するよう構成されることを特徴とする請求項１から９のいずれか一項に記載の血液浄化装置。
【請求項１１】
透析液を供給または排出する透析液チューブと血液浄化器の継手管との間を接続するカプラであって、カプラの内部に紫外光を照射するよう構成される光源部を備えることを特徴とするカプラ。
【発明の詳細な説明】
【技術分野】
【０００１】
本発明は、血液浄化装置に関し、特に、血液浄化器の継手管に接続されるカプラに関する。
【背景技術】
【０００２】
血液透析などの血液浄化処理では、ダイアライザといわれる血液浄化器が用いられる。血液浄化器には、透析液流入管と、透析液流出管とが設けられる。透析液流入管には、透析液供給用のチューブがカプラを介して着脱可能に接続され、透析液流出管には透析液排出用のチューブがカプラを介して着脱可能に接続される。血液浄化器の非使用時（具体的には洗浄または消毒時）には、供給側および排出側のカプラが血液浄化器から取り外され、双方のカプラが互いに接続されることで、透析液が流れる経路の洗浄および消毒処理がなされる（例えば、特許文献１参照）。
【先行技術文献】
【特許文献】
【０００３】
【特許文献１】特許２７５８１４８号公報
【発明の概要】
【発明が解決しようとする課題】
【０００４】
血液浄化器に接続されるカプラは、浄化処理の開始時および終了時に着脱されて外気に触れるため、大気暴露時に汚染されるおそれがある。また、透析液流入管または透析液流出管と接触するカプラの接続部は、コネクタのメス形状となっているため、アルコールなどの拭き取りなどによる洗浄および消毒作業が難しいかもしれない。
【０００５】
本発明はこうした課題に鑑みてなされたものであり、その例示的な目的のひとつは、血液浄化器に接続されるカプラの内部を殺菌する技術を提供することにある。
【課題を解決するための手段】
【０００６】
本発明のある態様の血液浄化装置は、血液浄化器への透析液の供給を制御する制御装置と、制御装置から血液浄化器に向けて透析液が流れる透析液供給チューブと、血液浄化器から制御装置に向けて透析液が流れる透析液排出チューブと、透析液供給チューブと血液浄化器の透析液流入管との間を接続する供給側カプラと、透析液排出チューブと血液浄化器の透析液流出管との間を接続する排出側カプラと、を備える。供給側カプラおよび排出側カプラの少なくとも一方は、カプラの内部に紫外光を照射するよう構成される光源部を有する。
【０００７】
この態様によると、血液浄化器に接続されるカプラの内部に紫外光を照射して、カプラの内部を殺菌することができる。これにより、カプラを衛生的に保つことができる。
【０００８】
供給側カプラは、透析液流入管と着脱可能に接続する管接続部を有してもよい。排出側カプラは、透析液流出管と着脱可能に接続する管接続部を有してもよい。光源部は、透析液流入管または透析液流出管から外されて露出する管接続部に紫外光を照射するよう構成されてもよい。
【０００９】
制御装置は、透析液流入管から外された供給側カプラと、透析液流出管から外された排出側カプラとが互いに接続された状態において、透析液供給チューブ、供給側カプラ、排出側カプラおよび透析液排出チューブを通る経路内に洗浄液を循環させる洗浄処理を実行するよう構成されてもよい。光源部は、洗浄処理の実行中に紫外光を照射してもよい。
【００１０】
制御装置は、透析液流入管から外された供給側カプラと、透析液流出管から外された排出側カプラとを一時的に保持するよう構成されるカプラホルダを有してもよい。光源部は、カプラホルダに供給側カプラおよび排出側カプラが保持された状態において、制御装置から電力を受けるよう構成される受電部を含んでもよい。
【００１１】
受電部は、非接触方式で制御装置から電力を受けるよう構成されてもよい。
【００１２】
光源部は、カプラホルダから離れた状態において非点灯となるよう構成されてもよい。
【００１３】
光源部は、血液浄化器に透析液が供給される透析処理の実行中にカプラの内部を流れる透析液に紫外光を照射してもよい。
【００１４】
光源部は、供給側カプラまたは排出側カプラの本体部に対して着脱可能に構成されてもよい。
【００１５】
供給側カプラおよび排出側カプラの少なくとも一方は、カプラの本体部に光源部からの紫外光を透過する窓部材が設けられてもよい。
【００１６】
供給側カプラおよび排出側カプラの少なくとも一方は、本体部と、本体部と軸方向に隣接する管接続部と、本体部から軸方向と直交する方向に延びるチューブ接続部とを有し、Ｌ字形状となるよう構成されてもよい。光源部は、本体部から管接続部に向けて軸方向に紫外光を照射するよう構成されてもよい。
【００１７】
本発明の別の態様は、カプラである。このカプラは、透析液を供給または排出する透析液チューブと血液浄化器の継手管との間を接続するカプラであって、カプラの内部に紫外光を照射するよう構成される光源部を備える。
【００１８】
この態様によると、血液浄化器に接続されるカプラの内部に紫外光を照射し、カプラの内部を殺菌することができる。これにより、カプラを衛生的に保つことができる。
【発明の効果】
【００１９】
本発明によれば、紫外光照射によりカプラ内部を殺菌することができる。
【図面の簡単な説明】
【００２０】
【図１】実施の形態に係る血液浄化装置の構成を概略的に示す図である。
【図２】カプラの構成を概略的に示す断面図である。
【図３】カプラがカプラホルダに保持される様子を概略的に示す図である。
【図４】洗浄処理中のカプラを概略的に示す断面図である。
【図５】変形例に係るカプラを概略的に示す断面図である。
【発明を実施するための形態】
【００２１】
以下、図面を参照しながら、本発明を実施するための形態について詳細に説明する。なお、説明において同一の要素には同一の符号を付し、重複する説明を適宜省略する。
【００２２】
図１は、実施の形態に係る血液浄化装置１０の構成を概略的に示す図である。血液浄化装置１０は、供給側カプラ３０ａと、排出側カプラ３０ｂと、制御装置５０と、透析液供給チューブ６６と、透析液排出チューブ６８とを備える。血液浄化装置１０は、血液透析などの血液浄化処理を行うシステムであり、ダイアライザといわれる血液浄化器２０を用いて体外循環する血液を浄化する。血液浄化装置１０は、供給側カプラ３０ａおよび排出側カプラ３０ｂを介して、血液浄化器２０と着脱自在に接続される。
【００２３】
血液浄化器２０は、血液流入口２２と、血液流出口２４と、透析液流入管２６と、透析液流出管２８とを有する。血液流入口２２は、動脈側血液回路１２と接続され、血液流出口２４は、静脈側血液回路１４と接続される。透析液流入管２６は、供給側カプラ３０ａを介して透析液供給チューブ６６と接続され、制御装置５０から供給される透析液が流入する。透析液流出管２８は、排出側カプラ３０ｂを介して透析液排出チューブ６８と接続され、制御装置５０に向けて排出される透析液が流出する。
【００２４】
血液浄化器２０は、内部に中空糸が収容されており、中空糸の内部が血液流入口２２と血液流出口２４の間をつなぐ血液の流路となっている。一方、中空糸の外部は、透析液流入管２６と透析液流出管２８の間をつなぐ透析液の流路となっている。中空糸は、微小な孔（ポア）が多数形成されており、多数の微小な孔を介して血液中の老廃物や余剰水分などが透析液内に透過するよう構成されている。血液浄化器２０は、患者の１回の透析治療ごとに未使用品が用いられ、１回の透析処理ごとに交換される。
【００２５】
供給側カプラ３０ａは、透析液流入管２６と透析液供給チューブ６６の間を接続する。排出側カプラ３０ｂは、透析液流出管２８と透析液排出チューブ６８の間を接続する。供給側カプラ３０ａおよび排出側カプラ３０ｂは、いわゆるワンタッチカプラであり、メス型のコネクタ構造を有する。供給側カプラ３０ａは、例えば、供給側カプラ３０ａの外周に設けられるスライド部材を操作することにより透析液流入管２６に着脱可能に接続される。同様に、排出側カプラ３０ｂは排出側カプラ３０ｂの外周に設けられるスライド部材を操作することにより透析液流出管２８に着脱可能に接続される。
【００２６】
図２は、カプラ３０（供給側カプラ３０ａまたは排出側カプラ３０ｂ）の構成を概略的に示す断面図である。本実施の形態において、供給側カプラ３０ａおよび排出側カプラ３０ｂは同様の構造を有するため、これらを総称して「カプラ３０」ともいう。
【００２７】
カプラ３０は、本体部３２と、管接続部３４と、チューブ接続部３６と、窓部材３８と、光源部４０とを有する。カプラ３０は、本体部３２と、管接続部３４と、チューブ接続部３６とによりＬ字形状となるよう構成されている。管接続部３４は、本体部３２と軸方向に隣接しており、本体部３２とともに軸方向に延びる第１流路３３を構成する。チューブ接続部３６は、本体部３２から軸方向と直交または交差する方向に延びる。チューブ接続部３６は、軸方向に延びる第１流路３３から屈曲してＬ字状に延びる第２流路３７を構成する。
【００２８】
管接続部３４は、血液浄化器２０の継手管である透析液流入管２６または透析液流出管２８と着脱可能に接続される部分である。管接続部３４は、メス型のコネクタ構造を有しており、管接続部３４の内面３５と継手管（透析液流入管２６または透析液流出管２８）の外周とが接触または係合して両者が接続される。チューブ接続部３６は、透析液供給チューブ６６または透析液排出チューブ６８の一端と接続される部分である。チューブ接続部３６は、例えば、透析液供給チューブ６６または透析液排出チューブ６８の一端に挿入されることにより、これらのチューブと接続される。
【００２９】
窓部材３８は、本体部３２に設けられており、光源部４０からの紫外光を軸方向に透過するよう配置される。窓部材３８は、紫外光の透過率が高い材料で構成されることが好ましく、石英（ＳｉＯ２）やサファイア（Ａｌ２Ｏ３）、非晶質のフッ素系樹脂などで構成される。
【００３０】
光源部４０は、窓部材３８に隣接する位置に設けられ、本体部３２に対して固定されている。光源部４０は、本体部３２に対して着脱可能または着脱容易となるように取り付けられている。光源部４０は、発光素子４２と、受電部４４と、筐体４６とを含む。発光素子４２および受電部４４は、筐体４６の内部に収容されている。
【００３１】
発光素子４２は、いわゆるＵＶ−ＬＥＤ（Ultra Violet-Light Emitting Diode）であり、中心波長またはピーク波長が約２００ｎｍ〜３５０ｎｍの範囲に含まれる紫外光を出力する。発光素子４２は、殺菌効率の高い波長である２６０ｎｍ〜２７０ｎｍ付近の紫外光を発することが好ましい。このような紫外光ＬＥＤとして、例えば、窒化アルミニウムガリウム（ＡｌＧａＮ）を用いたものが知られている。
【００３２】
受電部４４は、光源部４０の外部から供給される電力を受けるよう構成される。受電部４４は、いわゆる非接触方式で電力を受けるよう構成され、例えば、電磁波を用いて送出される電力を受けるためのコイルなどを有する。受電部４４は、接触方式で電力を受けるよう構成されてもよく、受電用の金属端子を有してもよい。受電部４４は、発光素子４２に電力を供給するよう構成され、例えば、光源部４０の駆動回路等を有する。受電部４４は、光源部４０の駆動回路を有しなくてもよく、受電した電力がそのまま光源部４０に供給されてもよい。受電部４４は、発光素子４２に供給する電力を一時的に蓄えるための蓄電部を有してもよい。受電部４４が有する蓄電部は、充放電可能な二次電池で構成されてもよい。
【００３３】
光源部４０は、カプラ３０の本体部３２および管接続部３４の内部に紫外光を照射するよう構成されている。光源部４０は、第１流路３３に沿って軸方向に紫外光を照射し、本体部３２および管接続部３４の内側に紫外光が照射する。光源部４０は、特に、透析液流入管２６や透析液流出管２８と接触する管接続部３４の内面３５に向けて紫外光を照射し、内面３５が殺菌ないし消毒されるようにする。
【００３４】
カプラ３０は、例えば、樹脂材料で構成される。カプラ３０は、紫外光に対する耐久性の高い部材で構成されることが好ましく、例えば、ＰＴＦＥ（ポリテトラフルオロエチレン）などのフッ素系樹脂で構成される。カプラ３０は、少なくとも内面３５が紫外光反射率の高い材料（例えば、ＰＴＦＥ）で構成されてもよい。カプラ３０の少なくとも内面３５を紫外光反射率の高い部材で構成することにより、内面３５にて紫外光を反射させながら軸方向に紫外光を伝搬させることができる。
【００３５】
図１に戻り、制御装置５０は、血液浄化器２０への透析液の供給および透析液の排出を制御するよう構成される。制御装置５０は、透析液供給チューブ６６に接続される透析液供給口５６と、透析液排出チューブ６８に接続される透析液排出口５８とを有する。制御装置５０は、透析液を供給および排出するためのポンプ（不図示）を有し、ポンプの動作を制御して血液浄化器２０への透析液の流れを制御する。
【００３６】
制御装置５０は、カプラホルダ５２を有する。カプラホルダ５２は、血液浄化器２０の非使用時において、供給側カプラ３０ａおよび排出側カプラ３０ｂを一時的に保持するために設けられる。図３は、カプラ３０ａ，３０ｂがカプラホルダ５２に保持される様子を概略的に示す。供給側カプラ３０ａおよび排出側カプラ３０ｂは、非使用時において血液浄化器２０から取り外され、それぞれの開口部が互いに接続される。カプラホルダ５２は、供給側カプラ３０ａおよび排出側カプラ３０ｂが接続された状態において、双方のカプラ３０ａ，３０ｂを一時的に保持または係止する。
【００３７】
供給側カプラ３０ａおよび排出側カプラ３０ｂは、専用のアダプタまたはコネクタを介して互いに接続されてもよいし、供給側カプラ３０ａと排出側カプラ３０ｂとが直接接続可能となるように構成されてもよい。供給側カプラ３０ａと排出側カプラ３０ｂとを互いに接続することにより、透析液供給口５６、透析液供給チューブ６６、供給側カプラ３０ａ、排出側カプラ３０ｂ、透析液排出チューブ６８および透析液排出口５８を通る一続きの循環経路が構築される。この経路には、経路を構成するチューブやカプラの内部が洗浄するための洗浄液が循環される。制御装置５０は、供給側カプラ３０ａおよび排出側カプラ３０ｂが接続された状態において洗浄液を循環させる洗浄処理を実行する。洗浄のために循環される洗浄液の種類は問わず、水（例えば純水）、次亜塩素酸ナトリウム水溶液や過酢酸溶液などの消毒液、または、透析液などを洗浄液として用いることができる。
【００３８】
制御装置５０は、給電部５４を有する。給電部５４は、カプラホルダ５２に保持されるカプラ３０ａ，３０ｂの受電部４４に電力を供給する。給電部５４は、双方のカプラ３０ａ，３０ｂの一方に電力を供給する第１給電部５４ａと、双方のカプラ３０ａ，３０ｂの他方に電力を供給する第２給電部５４ｂとを有する。第１給電部５４ａおよび第２給電部５４ｂは、カプラホルダ５２に保持されるカプラ３０ａ，３０ｂの光源部４０（受電部４４）の近傍に位置するよう配置される。給電部５４は、非接触方式で電力を供給するためのコイルなどを有する。給電部５４は、接触方式で電力供給するための給電端子を有してもよい。
【００３９】
図４は、洗浄処理中のカプラ３０ａ，３０ｂを概略的に示す断面図である。双方のカプラ３０ａ，３０ｂは、図示されるように管接続部３４ａ，３４ｂの開口部が互いに接続され、双方の第１流路３３ａ，３３ｂが軸方向に延びる一つの流路を形成している。双方の光源部４０ａ，４０ｂは、第１流路３３ａ，３３ｂを挟んで軸方向に対向しており、それぞれが軸方向に紫外光を照射する。これにより、双方の本体部３２ａ，３２ｂの内部、双方の管接続部３４ａ，３４ｂの内面３５ａ，３５ｂなどが紫外光照射により殺菌される。
【００４０】
光源部４０（４０ａ，４０ｂ）は、カプラホルダ５２に保持されている間のみ紫外光を照射するよう構成されてもよい。光源部４０は、例えば、給電部５４から電力が供給されている間だけ点灯するよう構成されてもよい。つまり、給電部５４から電力が供給されない間は光源部４０が非点灯となるよう構成されてもよく、カプラホルダ５２から離れた状態において非点灯となるよう構成されてもよい。これにより、カプラ３０を血液浄化器２０に取り付けるときに光源部４０からの紫外光が外部に漏れないようにすることができる。
【００４１】
以上の構成によれば、透析処理の非実行時において血液浄化器２０からカプラ３０ａ，３０ｂを取り外す場合に、双方のカプラ３０ａ，３０ｂを接続してカプラホルダ５２に置くことで、カプラ３０ａ，３０ｂの内部を紫外光で殺菌できる。これにより、複数回の透析処理に繰り返し使用されるカプラ３０ａ，３０ｂの内部を衛生的に保つことができる。また、カプラ３０ａ，３０ｂをカプラホルダ５２にセットするだけで自動的に殺菌処理が開始されるため、血液浄化装置１０を使用する医療従事者は、追加の作業をする必要なく紫外光殺菌できる。
【００４２】
本実施の形態によれば、カプラ３０の光源部４０が非接触方式で給電されるため、光源部４０に電源端子などの金属部品を露出させなくて済む。カプラ３０は、透析液などに触れるため、金属部品が露出していると錆が生じやすく、衛生上問題になるかもしれない。本実施の形態では、非接触で給電するため、カプラ３０を衛生的に保ちやすくできる。また、カプラホルダ５２にセットして給電できるようにすることで、光源部４０への給電のための電源ケーブル等を別途設ける必要がなくなり、ケーブルの取り回しを気遣うことなくカプラ３０の着脱作業を行うことができる。
【００４３】
本実施の形態によれば、カプラ３０の本体部３２に対して光源部４０が着脱可能に構成されているため、カプラ３０のメンテナンス性を高めることができる。例えば、光源部４０が故障した場合には光源部４０だけを交換することができる。また、本体部３２を含むカプラ３０のコネクタ構造部だけを交換し、新しい本体部３２に以前の光源部４０を取り付けて利用することもできる。これにより、カプラ３０全体を交換する場合と比べて、メンテナンスにかかる費用を抑えることができる。
【００４４】
以上、本発明を実施の形態にもとづいて説明した。本発明は上記実施の形態に限定されず、種々の設計変更が可能であり、様々な変形例が可能であること、またそうした変形例も本発明の範囲にあることは、当業者に理解されるところである。
【００４５】
上述の実施の形態では、供給側カプラ３０ａと排出側カプラ３０ｂの双方に光源部４０を設ける場合を示した。変形例においては、供給側カプラ３０ａと排出側カプラ３０ｂのいずれか一方のみに光源部４０を設け、他方には光源部４０を設けなくてもよい。
【００４６】
図５は、変形例に係るカプラ７０ａ，３０ｂを概略的に示す断面図である。本変形例では、供給側カプラ３０ａの代わりに光源部４０を有しない供給側カプラ７０ａが用いられる。供給側カプラ７０ａは、本体部７２と、管接続部７４と、チューブ接続部７６とを有する。供給側カプラ７０ａは、図示されるように、洗浄処理時において排出側カプラ３０ｂと接続される。供給側カプラ７０ａは、排出側カプラ３０ｂの光源部４０ｂからの紫外光照射により本体部７２の内部や管接続部７４の内面７５が殺菌される。したがって、本変形例においても、カプラ７０ａ，３０ｂの内部を紫外光により殺菌することができる。なお、別の変形例においては、供給側カプラ３０ａに光源部４０を設ける一方で、排出側カプラに光源部４０を設けない構成としてもよい。
【００４７】
上述の実施の形態では、洗浄処理時に光源部４０が紫外光を照射する場合を示したが、さらなる変形例においては、透析処理の実行中に光源部４０が紫外光を照射してもよい。透析処理の実行中においてカプラ３０の内部を流れる透析液に紫外光を照射することで、透析液に対して殺菌処理を施すことができる。光源部４０は、受電部４４に蓄電される電力を用いて点灯してもよいし、光源部４０に接続される電源ケーブルを介して供給される電力を用いて点灯してもよい。光源部４０に電源ケーブルが接続される場合、透析液供給チューブ６６または透析液排出チューブ６８に電源ケーブルが敷設されてもよい。例えば、電源ケーブルが透析液供給チューブ６６または透析液排出チューブ６８と一体的に形成されてもよい。
【００４８】
上述の実施の形態および変形例では、カプラ３０がＬ字型である場合について示した。さらなる変形例においては、透析液側のカプラが直線型であってもよい。この場合、カプラの内部に紫外光が照射できるようにカプラの外周の一部に窓部材が設けられ、カプラの外周に光源部が取り付けられてもよい。
【符号の説明】
【００４９】
１０…血液浄化装置、２０…血液浄化器、２６…透析液流入管、２８…透析液流出管、３０…カプラ、３０ａ…供給側カプラ、３０ｂ…排出側カプラ、３２…本体部、３４…管接続部、３６…チューブ接続部、３８…窓部材、４０…光源部、４４…受電部、５０…制御装置、５２…カプラホルダ、６６…透析液供給チューブ、６８…透析液排出チューブ。
【図１】
2018068442.tif 000003
【図２】
2018068442.tif 000004
【図３】
2018068442.tif 000005
【図４】
2018068442.tif 000006
【図５】
2018068442.tif 000007
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
血液浄化器への透析液の供給を制御する制御装置と、
前記制御装置から前記血液浄化器に向けて透析液が流れる透析液供給チューブと、
前記血液浄化器から前記制御装置に向けて透析液が流れる透析液排出チューブと、
前記透析液供給チューブと前記血液浄化器の透析液流入管との間を接続する供給側カプラと、
前記透析液排出チューブと前記血液浄化器の透析液流出管との間を接続する排出側カプラと、を備え、
前記制御装置は、前記透析液流入管から外された前記供給側カプラと、前記透析液流出管から外された前記排出側カプラとを一時的に保持するよう構成されるカプラホルダを有し、
前記供給側カプラおよび前記排出側カプラの少なくとも一方は、カプラの内部に紫外光を照射するよう構成される光源部を有し、前記光源部は、前記カプラホルダに前記供給側カプラおよび前記排出側カプラが保持された状態において前記制御装置から給電される一方、前記カプラホルダから離れた状態において前記制御装置からの給電が解除されるよう構成される受電部を含むことを特徴とする血液浄化装置。
【請求項２】
前記受電部は、非接触方式で前記制御装置から給電されることを特徴とする請求項１に記載の血液浄化装置。
【請求項３】
前記制御装置は、前記カプラホルダに設けられる給電端子を有し、
前記受電部は、前記給電端子と接触して接続可能な受電端子を有することを特徴とする請求項１に記載の血液浄化装置。
【請求項４】
前記供給側カプラは、前記透析液流入管と着脱可能に接続する管接続部を有し、
前記排出側カプラは、前記透析液流出管と着脱可能に接続する管接続部を有し、
前記光源部は、前記透析液流入管または前記透析液流出管から外されて露出する前記管接続部に紫外光を照射するよう構成されることを特徴とする請求項１から３のいずれか一項に記載の血液浄化装置。
【請求項５】
前記制御装置は、前記透析液流入管から外された前記供給側カプラと、前記透析液流出管から外された前記排出側カプラとが互いに接続された状態において、前記透析液供給チューブ、前記供給側カプラ、前記排出側カプラおよび前記透析液排出チューブを通る経路内に洗浄液を循環させる洗浄処理を実行するよう構成されており、
前記光源部は、前記洗浄処理の実行中に紫外光を照射することを特徴とする請求項１から４のいずれか一項に記載の血液浄化装置。
【請求項６】
前記光源部は、前記カプラホルダに保持された状態において点灯し、前記カプラホルダから離れた状態において非点灯となるよう構成されることを特徴とする請求項１から５のいずれか一項に記載の血液浄化装置。
【請求項７】
前記光源部は、前記制御装置から給電される電力を蓄える蓄電部をさらに含み、前記血液浄化器に透析液が供給される透析処理の実行中にカプラの内部を流れる透析液に紫外光を照射することを特徴とする請求項１から５のいずれか一項に記載の血液浄化装置。
【請求項８】
前記光源部は、前記供給側カプラまたは前記排出側カプラの本体部に対して着脱可能に構成されることを特徴とする請求項１から７のいずれか一項に記載の血液浄化装置。
【請求項９】
前記供給側カプラおよび前記排出側カプラの少なくとも一方は、カプラの本体部に前記光源部からの紫外光を透過する窓部材が設けられることを特徴とする請求項１から８のいずれか一項に記載の血液浄化装置。
【請求項１０】
前記供給側カプラおよび前記排出側カプラの少なくとも一方は、本体部と、前記本体部と軸方向に隣接する管接続部と、前記本体部から前記軸方向と直交する方向に延びるチューブ接続部とを有し、Ｌ字形状となるよう構成されており、
前記光源部は、前記本体部から前記管接続部に向けて前記軸方向に紫外光を照射するよう構成されることを特徴とする請求項１から９のいずれか一項に記載の血液浄化装置。
【請求項１１】
透析液を供給または排出する透析液チューブと血液浄化器の継手管との間を接続するカプラであって、カプラの内部に紫外光を照射するよう構成される光源部を備え、前記光源部は、カプラホルダに保持された状態において給電される一方、前記カプラホルダから離れた状態において給電が解除されるよう構成される受電部を含むことを特徴とするカプラ。